(57)【特許請求の範囲】
【請求項１】
医療現場で発生する廃液を処分するための廃液処分装置であって、
発生した廃液を受け入れる廃液導入ポートと、廃液を排出させる廃液排出ポートとが接続された密閉タンクと、
外部から圧縮ガスを導入するための圧縮ガス用ポートが接続されて該圧縮ガス用ポートから導入した圧縮ガスを蓄える圧力タンクと、
前記圧力タンクと前記密閉タンクとを接続している圧縮ガス供給管と、
前記圧縮ガス供給管を開閉する開閉機構とを備え、
前記開閉機構によって前記圧縮ガス供給管が開状態に設定されると、該圧縮ガス供給管を介して前記圧力タンクから前記密閉タンクへ圧縮ガスを供給し、該密閉タンク内の廃液の液面を加圧して該廃液を前記廃液排出ポートから排出させることを特徴とする、廃液処分装置。
【請求項２】
前記密閉タンク内には、外部から洗浄用液体を導入するための給水用ポートが接続されたスプリンクラーが設けられていることを特徴とする、請求項１に記載の廃液処分装置。
【請求項３】
前記圧力タンクを第１圧力タンクとし、前記圧縮ガス供給管を第１圧縮ガス供給管とし、前記開閉機構を第１開閉機構とした場合に、
前記圧縮ガス用ポート又は別の圧縮ガス用ポートから導入した圧縮ガスを蓄える第２圧力タンクと、
前記第２圧力タンクと前記密閉タンクとを接続する第２圧縮ガス供給管と、
前記第２圧縮ガス供給管を開閉する第２開閉機構とを備えていることを特徴とする、請求項１又は２に記載の廃液処分装置。
【請求項４】
前記第２圧縮ガス供給管は、前記第２圧力タンクから延びて前記第１圧縮ガス供給管に合流し、
前記第１圧縮ガス供給管では、前記第２圧縮ガス供給管の合流箇所と前記第１圧力タンクとの間に、該第１圧力タンクへ向かうガスの流れを阻止する逆止弁が設けられていることを特徴とする、請求項３に記載の廃液処分装置。
【発明の詳細な説明】
【技術分野】
【０００１】
本発明は、医療現場で発生する廃液を処分するための廃液処分装置に関する。
【背景技術】
【０００２】
医療現場では、手術又は内視鏡検査等の際に、血液や生理食塩水などの廃液（排液）が発生する。従来は、５リットルや８リットルの大容量ガラス瓶に廃液を回収し、汚物処理室までガラス瓶を運び、汚物流しに廃液を流していた。ガラス瓶は、重たくブラシ等で洗浄しにくい上に、落下させると破損する。そのため、近年は、ガラス瓶に代わって、ディスポーザブルバックを使用することが主流になっている。ディスポーザブルバックに回収した廃液を凝固させた後に焼却することで、廃液を処分することが可能である。
【０００３】
また、特許文献１には、廃液容器を備えた廃液吸引用具が記載されている。廃液容器は、導入ポートと排出ポートとを備えている。吸引源に排出ポート等を接続することで、廃液容器内に設けたバッグに負圧が形成され、導入ポートから廃液容器内に廃液を吸引できる。廃液吸引用具では、廃液の廃棄時に、廃液容器に吸引した廃液を凝固材により凝固させる。
【先行技術文献】
【特許文献】
【０００４】
【特許文献１】特開２００５−１９２５９１号公報
【発明の概要】
【発明が解決しようとする課題】
【０００５】
ところで、従来は、廃液を廃棄する際に、ディスポーザブルバック等のバックも一緒に焼却されるため、ランニングコストが高くなる。また、廃液の焼却による環境汚染も懸念される。また、廃液自体に感染性がない場合は、コストが掛らないように、バックを洗浄して再利用することも可能である。しかし、この場合は、洗浄作業に時間と手間を要して煩わしく、さらに衛生面の問題も生じる。
【０００６】
本発明は、このような事情に鑑みてなされたものであり、医療現場で発生する廃液を低コストで容易に処分可能な廃液処分装置を提供することを目的とする。
【課題を解決するための手段】
【０００７】
上述の課題を解決するべく、第１の発明は、医療現場で発生する廃液を処分するための廃液処分装置であって、発生した廃液を受け入れる廃液導入ポートと、廃液を排出させる廃液排出ポートとが接続された密閉タンクと、密閉タンクへガスを供給することにより、密閉タンク内の廃液の液面を加圧して廃液を廃液排出ポートから排出させるガス供給部とを備えている、廃液処分装置である。
【０００８】
第２の発明は、第１の発明において、ガス供給部は、外部から圧縮ガスを導入するための圧縮ガス用ポートが接続されて圧縮ガス用ポートから導入した圧縮ガスを蓄える圧力タンクと、圧力タンクと密閉タンクとを接続する圧縮ガス供給管と、圧縮ガス供給管を開閉する開閉機構とを備え、ガス供給部は、開閉機構によって圧縮ガス供給管が開状態に設定されると、圧縮ガス供給管を介して圧力タンクから密閉タンクへ圧縮ガスを供給し、密閉タンク内の廃液の液面を加圧して廃液を前記廃液排出ポートから排出させる。
【０００９】
第３の発明は、第１又は第２の発明において、密閉タンク内には、外部から洗浄用液体を導入するための給水用ポートが接続されたスプリンクラーが設けられている。
【００１０】
第４の発明は、第２の発明において、圧力タンクを第１圧力タンクとし、圧縮ガス供給管を第１圧縮ガス供給管とし、開閉機構を第１開閉機構とした場合に、圧縮ガス用ポート又は別の圧縮ガス用ポートから導入した圧縮ガスを蓄える第２圧力タンクと、第２圧力タンクと密閉タンクとを接続する第２圧縮ガス供給管と、第２圧縮ガス供給管を開閉する第２開閉機構とを備えている。
【００１１】
第５の発明は、第４の発明において、第２圧縮ガス供給管は、第２圧力タンクから延びて第１圧縮ガス供給管に合流し、第１圧縮ガス供給管では、第２圧縮ガス供給管の合流箇所と第１圧力タンクとの間に、第１圧力タンクへ向かうガスの流れを阻止する逆止弁が設けられている。
【発明の効果】
【００１２】
第１の発明では、医療現場で発生する廃液が、廃液導入ポートから密閉タンクに導入される。密閉タンクに溜まった廃液を棄てる際は、廃液排出ポートからの廃液を汚物流し等の廃棄場所に流し込むことができる状態で、ガス供給部によって密閉タンクへガスを供給する。そうすると、密閉タンク内の廃液が、供給されたガスによって加圧されて廃棄場所に自動で排出される。第１の発明では、従来のように廃液回収容器に消耗品（ディスポーザブルバック等）を用いる必要がなく、ランニングコストを抑制できる。従って、医療現場で発生する廃液を低コストで容易に処分可能な廃液処分装置を提供できる。
【００１３】
第２の発明では、圧縮ガスを蓄える圧力タンクが設けられている。ここで、多くの病院では手術室等に、医療ガスとして用いる圧縮ガスの供給ポート（圧縮ガス供給装置の空気供給ポート等）が設けられている。例えば供給ポートと圧縮ガス用ポートとをチューブ等で接続して圧力タンクに圧縮ガスを導入し、圧力タンクに圧縮ガスを蓄えることができる。密閉タンクに溜まった廃液を棄てる際は、廃液排出ポートからの廃液を汚物流し等の廃棄場所に流し込むことができる状態で、開閉機構を開状態にする。そうすると、密閉タンク内の廃液が、圧縮ガスによって加圧されて廃棄場所に自動で排出される。第２の発明では、廃液の排出に圧縮ガスを用いるため、電気ポンプ等の電気部品を設ける場合に比べて簡素な廃液処分装置を提供できる。
【００１４】
第３の発明では、例えば水道栓の蛇口と給水用ポートとを接続した状態で水道栓を開き、スプリンクラーから水道水（洗浄用液体）を噴射することで、密閉タンク内を洗浄できる。洗浄により発生した汚水は、圧縮ガスによって廃液排出ポートから排出可能である。第３の発明によれば、ブラシ等を用いることなく、密閉タンク内を自動で洗浄できる。
【００１５】
第４の発明では、各圧力タンクに対し圧縮ガス供給管及び開閉機構が設けられているため、各圧力タンクから個別に圧縮ガスを密閉タンクに供給できる。ここで、圧力タンクが１つの場合、廃液の排出に圧縮ガスを用いると、圧力タンク内の圧力が低下する。そのため、例えば、廃液の排出後に、圧縮ガスを補充することなくその場で密閉タンク内の洗浄を行う場合、洗浄により生じた汚水を排出する際に圧縮ガスの圧力が不足する虞がある。それに対して、第４の発明では、廃液の排出と汚水の排出とに第１圧力タンクと第２圧力タンクとを使い分けることで、汚水を排出する際も圧縮ガスの圧力を確保できる。
【００１６】
第５の発明では、第１圧縮ガス供給管に逆止弁が設けられている。そのため、例えば、廃液の排出に第１圧力タンクを用いた後に第１開閉機構を閉状態に戻し忘れても、汚水を排出する際に第２圧力タンクからの圧縮ガスは、第１圧力タンクに供給されることなく、密閉タンクだけに供給される。従って、このような戻し忘れがあったとしても、圧縮ガスの圧力を確保できる。
【図面の簡単な説明】
【００１７】
【図１】実施の形態に係る廃液処分装置の概略構成図
【図２】（ａ）廃液処分装置の正面図、（ｂ）廃液処分装置の背面図、（ｃ）廃液処分装置の上面図
【図３】廃液処分装置の使用方法を説明するための図
【図４】変形例に係る廃液処分装置の概略構成図
【発明を実施するための形態】
【００１８】
以下、図１−図３を参照しながら、本発明の一例である実施の形態について詳細に説明する。なお、本発明は、実施の形態に限定されない。
【００１９】
［１．廃液処分装置の構成について］
廃液処分装置１０は、医療現場で発生する廃液（手術中に出る廃液、又は、内視鏡検査の処置において発生する廃液等）を回収して処分するための装置である。図１に示すように、廃液処分装置１０は、密閉タンク２０、第１圧力タンク２１、第２圧力タンク２２、及び、スプリンクラー２３を備えている。また、図２に示すように、廃液処分装置１０は、各種部品を収容するケーシング１１を備えている。ケーシング１１には、底面の４隅に車輪が設けられている。廃液処分装置１０は、看護師等の作業者によって容易に移動させることが可能である。なお、図１では、ケーシング１１の記載は省略している。
【００２０】
密閉タンク２０は、廃液を溜めるための容器（例えば１５リットルの容器）である。密閉タンク２０では、例えば、上方が開放された容器に天板２０ａがシール部材を介して取り付けられている。必要に応じて天板２０ａを取り外すことで、密閉タンク２０内の点検が可能である。なお、密閉タンク２０は、前述の構成及び容量に限定されない。
【００２１】
第１圧力タンク２１及び第２圧力タンク２２の各々は、耐圧性を有する密閉容器（例えば３．５リットルの容器）である。第１圧力タンク２１と第２圧力タンク２２とは同じタンクである。各圧力タンク２１，２２は、密閉タンク２０の廃液を排出する時に使用する外部圧力として、病院等に設けられた圧縮ガス供給装置、又は、可搬型ボンベから供給された圧縮ガスを蓄える。例えば圧縮ガス供給装置の空気供給ポート７２のガス圧は、４ｋｇｆ／ｃｍ２（約４００ｋＰａ）である。各圧力タンク２１，２２は、大気圧に換算で約１４リットルのガスを蓄えることができる。第１圧力タンク２１には、第１圧力計測器６１が取り付けられている。第２圧力タンク２２には、第２圧力計測器６２が取り付けられている。各圧力計測器６１，６２は、ケーシング１１の外面に設けられたメータに計測値を表示する。なお、各圧力タンク２１，２２の容量は前述の数値に限定されないし、２つの圧力タンク２１，２２の容量は互いに異なっていてもよい。
【００２２】
本実施の形態では、密閉タンク２０が、その密閉タンク２０から延びて二手に分岐する圧縮ガス供給管３４を介して、第１圧力タンク２１及び第２圧力タンク２２の各々に接続されている。密閉タンク２０内では、圧縮ガス供給管３４の一端（出口端）が天板２０ａの直下の位置に開口している。第１圧力タンク２１には、分岐箇所から分岐した第１供給側分岐管３６が接続されている。第２圧力タンク２２には、分岐箇所から分岐した第２供給側分岐管３７が接続されている。
【００２３】
第１供給側分岐管３６には、分岐箇所から順番に、第１圧力タンク２１へ向かうガスの流れを阻止する逆止弁６６と、手動で操作する第１圧縮ガス用切替弁５６とが設けられている。また、第２供給側分岐管３７には、分岐箇所から順番に、第２圧力タンク２２へ向かうガスの流れを阻止する逆止弁６７と、手動で操作する第２圧縮ガス用切替弁５７とが設けられている。
【００２４】
密閉タンク２０には、医療現場で発生した廃液を受け入れる廃液導入ポート４１と、廃液を排出させる廃液排出ポート４２（廃液を棄てるためのアウトレット）と、密閉タンク２０内のガスを排出するためのガス排出ポート４３（密閉タンク２０を真空にするために接続するアウトレット）とが接続されている。また、一対の第１圧力タンク２１及び第２圧力タンク２２には、外部から圧縮ガスを導入するための圧縮ガス用ポート４４（廃液の排出時に必要となる圧縮ガスを導入するためのアウトレット）が接続されている。スプリンクラー２３には、外部から洗浄用液体（水道水等）を導入するための給水用ポート４５（密閉タンク２０内を洗浄する水を導入するためのアウトレット）が接続されている。各ポート４１〜４５は、例えば、ホース又はチューブを接続可能なジョイントにより構成されている。廃液導入ポート４１は、図２に示すように、ケーシング１１の上面に配置された導入用開閉弁５１の操作レバー５１ａにより構成されている。図２（ｃ）に示すように、廃液導入ポート４１及び導入用開閉弁５１は２つ設けられている（但し、図１では２つのうち１つを省略している）。廃液排出ポート４２、ガス排出ポート４３、圧縮ガス用ポート４４、及び、給水用ポート４５は、ホース又はチューブを取り外した状態では流体が流れないストッパー機能付きのジョイントにより構成され、ケーシング１１の側面に配置されている。各ポート４１〜４５は、ホースを外す時の液だれを防ぐために、開口端ほど高くなるよう勾配を付けて設置されている。
【００２５】
また、密閉タンク２０には、接続管３８を介して、密閉タンク２０の内圧を調節するための圧力調節弁２９が接続されている。ケーシング１１の上面には、圧力調節弁２９の操作ツマミ２９ａが配置されている。操作ツマミ２９ａの隣には、密閉タンク２０の内圧の計測値を表示する第３圧力計測器６３のメータ（陰圧メータ）が設けられている。
【００２６】
廃液導入ポート４１は、導入用開閉弁５１及び廃液導入管３１を介して密閉タンク２０に接続されている。密閉タンク２０内では、廃液導入管３１の一端（出口端）が天板２０ａの直下の位置に開口している。廃液導入管３１には、廃液導入ポート４１へ向かう流体の流れを阻止する逆止弁３９が設けられている。
【００２７】
廃液排出ポート４２は、廃液排出管３２を介して密閉タンク２０に接続されている。密閉タンク２０内では、廃液排出管３２の一端（入口端）が底面近傍の位置に開口している。密閉タンク２０内では、他の管に比べて廃液排出管３２の開口位置が低くなっている。
【００２８】
ガス排出ポート４３は、ガス排出管３３を介して密閉タンク２０に接続されている。密閉タンク２０内では、ガス排出管３３の一端（入口端）が天板２０ａの直下の位置に開口している。密閉タンク２０内には、液面が満水位近傍に達した場合にガス排出管３３の入口端を塞ぐフロートバルブ６５が設けられている。ガス排出管３３には、手動で操作するガス排出用開閉弁５３が設けられている。ケーシング１１の上面には、ガス排出用開閉弁５３の操作レバー５３ａが設けられている。
【００２９】
圧縮ガス用ポート４４は、圧縮ガス用ポート４４から延びて二手に分岐する圧縮ガス導入管２４を介して、第１圧力タンク２１及び第２圧力タンク２２の各々に接続されている。分岐箇所から分岐した第１導入側分岐管２６は、第１圧縮ガス用切替弁５６に接続されている。分岐箇所から分岐した第２導入側分岐管２７は、第２圧縮ガス用切替弁５７に接続されている。また、圧縮ガス導入管２４における分岐箇所の上流側には、圧縮ガス用ポート４４へ向かう流体の流れを阻止する逆止弁４９が設けられている。
【００３０】
第１圧縮ガス用切替弁５６は、例えば三方弁により構成され、第１供給側分岐管３６（第１圧縮ガス供給管に相当）を開閉する第１開閉機構に相当する。第２圧縮ガス用切替弁５７は、例えば三方弁により構成され、第２供給側分岐管３７（第２圧縮ガス供給管に相当）を開閉する第２開閉機構に相当する。各圧縮ガス用切替弁５６，５７は、操作レバー５６ａ，５７ａの操作に応じて、対応する圧力タンク２１，２２を圧縮ガス用ポート４４に連通させる第１状態（閉状態に相当）と、対応する圧力タンク２１，２２を密閉タンク２０に連通させる第２状態（開状態に相当）とに切り替わる。ケーシング１１の上面には、第１圧縮ガス用切替弁５６の操作レバー５６ａ、及び、第２圧縮ガス用切替弁５７の操作レバー５７ａが設けられている。
【００３１】
給水用ポート４５は、密閉タンク２０の天板２０ａを貫通する給水管３５を介してスプリンクラー２３に接続されている。スプリンクラー２３は、給水管３５を介して供給された水道水を噴射する。スプリンクラー２３は、密閉タンク２０内の洗浄に用いられる。また、ケーシング１１には、洗浄消毒液を貯留する薬液タンク４８（例えば５００ミリリットルの容器）が設けられている。
【００３２】
［２．廃液処分装置の使用方法について］
続いて、図３を参照して、廃液処分装置１０の使用方法について説明をする。図３では、メータ等の記載を省略し、液体又はガスが流通する配管を太線にしている。また、各弁５１，５３，５６，５７の状態はレバーの向きで表し、操作対象の弁５１，５３，５６，５７の符号を四角で囲っている。
【００３３】
まず、手術中に患者から出る廃液を吸引して密閉タンク２０に回収する吸引動作について説明する。手術室の壁面等には、ガス吸引装置の吸引ポート７１と、圧縮ガス供給装置の空気供給ポート７２及び酸素供給ポート７３とが設けられている。吸引動作を行うために、作業者は、図３（ａ）に示すように、廃液導入ポート４１にチューブ８１を接続し、吸引ポート７１とガス排出ポート４３とをチューブ８２で接続する。
【００３４】
この状態で、ガス排出用開閉弁５３を閉状態から開状態へ切り替えると、密閉タンク内２０のガスが排出され、密閉タンク２０の内圧が低下して負圧が形成される。負圧が形成された状態で、作業者が導入用開閉弁５１を閉状態から開状態へ切り替えると、チューブ８１の先端から廃液を吸引可能な状態となる。手術中に廃液が発生した箇所７４にチューブ８１の先端を設けると、廃液が廃液導入ポート４１から密閉タンク２０に流入する。吸引動作を終了させる際は、導入用開閉弁５１及びガス排出用開閉弁５３を閉状態へ切り替える。吸引動作の終了後は、密閉タンク２０に廃液が溜まった状態となる。なお、手術後に薬液タンク４８の蓋を開けて薬液タンク４８内にチューブ８１の先端を入れることで、負圧によって洗浄消毒液を吸引して、廃液導入管３１等を洗浄できる。
【００３５】
作業者は、密閉タンク２０に溜まった廃液を廃棄する前に、圧縮ガスを各圧力タンク２１，２に充填するガス充填動作を行う。ガス充填動作を行うために、作業者は、図３（ｂ）に示すように、各圧縮ガス用切替弁５６，５７を第１状態にして空気供給ポート７２と圧縮ガス用ポート４４とをチューブ８３で接続する。なお、空気供給ポート７２の代わりに、酸素供給ポート７３にホース８３を接続してもよい。この接続を行うと、空気供給ポート７２からの圧縮ガスが、圧縮ガス用ポート４４から各圧力タンク２１，２２に流入する。圧縮ガスは、各圧力タンク２１，２２の内圧が空気供給ポート７２のガス圧に達するまで流入する。ガス充填動作の終了後はチューブ８３が取り外される。この状態では逆止弁４９が設けられているため、各圧力タンク２１，２２内の圧縮ガスは放出されない。
【００３６】
続いて、密閉タンク２０から廃液を排出する排液動作、及び、密閉タンク２０内を洗浄する洗浄動作について説明する。これらの動作を行うために、作業者は、汚物処理室へ廃液処分装置１０を移動させる。そして、図３（ｃ）に示すように、水道栓７６の蛇口と給水用ポート４５とをホース８４で接続し、汚物流し７０の飛散防止金具７５のポートと廃液排出ポート４２とをホース８５で接続する。
【００３７】
次に、使用者が第１圧縮ガス用切替弁５６を第１状態（閉状態）から第２状態（開状態）へ切り替えると、第１圧力タンク２１内の圧縮ガスが、第１供給側分岐管３６等を介して密閉タンク２０へ供給される。そうすると、圧縮ガスによって密閉タンク２０内の液面が加圧され、廃液が廃液排出ポート４２を通って汚物流し７０へ排出される。汚物流し７０へ廃液が出てこなくなると排液動作は終了する。使用者は、第１圧縮ガス用切替弁５６を閉状態に切り替える。
【００３８】
続いて、使用者が水道栓を開くと、図３（ｄ）に示すように、給水用ポート４５からスプリンクラー２３へ水道水を供給され、スプリンクラー２３から水道水が噴出される。その際、スプリンクラー２３は水圧により回転する。これにより、密閉タンク２０の内面は洗浄される。使用者は、所定の時間の経過後に水道栓を閉じる。なお、水道水の流入に伴って密閉タンク２０内の圧力が上昇するため、汚れが混じった汚水が廃液排出ポート４２を通って汚物流し７０へ排出される。しかし、全ての汚水が排出される訳ではなく、密閉タンク２０内には汚水が残った状態となる。続いて、使用者が第２圧縮ガス用切替弁５７を第１状態（閉状態）から第２状態（開状態）へ切り替えると、図３（ｅ）に示すように、第２圧力タンク２２内の圧縮ガスが、第２供給側分岐管３７等を介して密閉タンク２０へ供給される。そうすると、圧縮ガスによって密閉タンク２０内の液面が加圧され、汚水が廃液排出ポート４２を通って汚物流し７０へ排出される。汚物流し７０へ汚水が出てこなくなると洗浄動作は終了する。使用者は、第２圧縮ガス用切替弁５７を閉状態に切り替える。
【００３９】
このように、本実施の形態では、密閉タンク２０に廃液を自動で吸引し、廃液を自動で排出し、密閉タンク２０内を自動で洗浄することができる。
【００４０】
［３．実施の形態の効果等］
本実施の形態では、廃液の排出に必要な駆動源として、手術室又は内視鏡室等に設備されている医療ガス（酸素、駆動用空気、治療用空気、笑気）を２本の圧力タンク２１，２２に充填できる。密閉タンク２０に溜まった廃液を棄てる場合は、廃液排出ポート４２から排出される廃液を汚物流し７０等の廃棄場所に流し込むことができる状態で、第１圧縮ガス用切替弁５６又は第２圧縮ガス用切替弁５７を開状態にするだけで、密閉タンク２０内の廃液を廃棄場所に自動で排出できる。本実施の形態では、従来のように廃液回収容器に消耗品（ディスポーザブルバック等）を用いる必要がなく、ランニングコストを抑制できる。従って、医療現場で発生する廃液を低コストで容易に処分可能な廃液処分装置１０を提供できる。また、廃液の排出に圧縮ガスを用いるため、電気ポンプ等の電気部品を設ける場合に比べて簡素な廃液処分装置１０を提供できる。廃液処分装置１０は、手術室又は内視鏡室に設備されている医療ガス（酸素、駆動用空気、治療用圧縮空気、笑気）、又は、可搬型ボンベのガス等あらゆる圧縮ガスで廃液を排出可能な自動排出・洗浄機能付き真空吸引器である。
【００４１】
また、本実施の形態では、全く排液に触れることなく効率よく廃液を排出できるため、作業者は感染の心配がない。また、密閉タンク２０が大容量のため、廃液を頻繁に排出する必要がない。また、電動ポンプ等の電気部品を使うことなく廃液を排出できるため、コンセント等の電気設備が少ない汚物処理室で有用である。
【００４２】
また、本実施の形態によれば、廃液の吸引にも病院の設備を利用するため、電気ポンプ等の電気部品を設ける必要がなく簡素な廃液処分装置１０を提供できる。
【００４３】
また、本実施の形態では、水道栓７６からの水道水（洗浄用液体）をスプリンクラー２３に供給することで、密閉タンク２０内を洗浄できる。洗浄により発生した汚水は、圧縮ガスによって廃液排出ポート４２から排出可能である。本実施の形態によれば、ブラシ等を用いることなく、密閉タンク２０内を自動で洗浄できる。
【００４４】
また、本実施の形態では、各圧力タンク２１，２２に対し圧縮ガス供給管３６，３７及び開閉機構５６，５７が設けられているため、各圧力タンク２１，２２から個別に圧縮ガスを密閉タンク２０に供給できる。そのため、廃液の排出と汚水の排出とに第１圧力タンク２１と第２圧力タンク２２とを使い分けることで、汚水を排出する際も圧縮ガスの圧力を確保できる。
【００４５】
また、本実施の形態では、第１圧縮ガス供給管３６に逆止弁６６が設けられている。そのため、廃液の排出に第１圧力タンク２１を用いた後に第１圧縮ガス用切替弁５６を閉状態へ戻し忘れても、汚水を排出する際に第２圧力タンク２２からの圧縮ガスは、第１圧力タンク２１に供給されることなく、密閉タンク２０だけに供給される。従って、このような戻し忘れがあったとしても、圧縮ガスの圧力を確保できる。また、接続管３８には、圧力調節弁２９へ向かう流体の流れを阻止する逆止弁５９が設けられている。そのため、吸引動作の際に圧力調節弁２９を使用した後に圧力調節弁２９を閉め忘れたとしても、排液動作の際に密閉タンク２０へ供給した圧縮ガスが圧力調節弁２９から漏れることなく、圧縮ガスの圧力を確保できる。
【００４６】
［４．変形例］
上述の実施の形態では、圧力タンク２１，２２と圧縮ガス供給管３４（３６，３７）と各圧縮ガス用切替弁５６，５７とが、ガス供給部に相当していたが、図４に示すように、ガス供給部として電気ポンプ６０を設けてもよい。電気ポンプ６０は、ケーシング１１内に搭載され、ガス供給管３４を介して密閉タンク２０に接続されている。排液動作を行う際は、電気ポンプ６０を運転させると、密閉タンク２０内に空気が供給され、密閉タンク２０内の廃液の液面が加圧されて廃液が廃液排出ポート４２から排出される。
【００４７】
上述の実施の形態では、圧力タンク２１，２２の個数が２つであったが、１つであってもよいし、３つ以上であってもよい。また、廃液を溜める密閉タンク２０は２つ以上であってもよい。
【００４８】
上述の実施の形態では、各導入側分岐管２６，２７が各供給側分岐管３６，３７を介して各圧力タンク２１，２２に接続されているが、各圧力タンク２１，２２に直接接続されていてもよい。この場合、開閉機構として三方弁を用いずに、各供給側分岐管３６，３７に開閉弁を設ける。
【００４９】
上述の実施の形態では、各ポート４１〜４５が配管を介してタンク２０，２１，２２に接続されているが、各ポート４１〜４５をタンク２０，２１，２２に直接取り付けてもよい。また、各ポート４１〜４５にホースが一体化されていてもよい。
【００５０】
上述の実施の形態では、２つの圧力タンク２１，２２に対して１つの圧縮ガス用ポート４４を設けているが、各圧力タンク２１，２２に対してそれぞれ圧縮ガス用ポート４４を設けてもよい。
【産業上の利用可能性】
【００５１】
本発明は、病院等で使用される廃液処分装置等に適用可能である。
【符号の説明】
【００５２】
１０    廃液処分装置
２０    密閉タンク
２１    第１圧力タンク
２２    第２圧力タンク
３６    第１供給側分岐管（第１圧縮ガス供給管）
３７    第２供給側分岐管（第２圧縮ガス供給管）
４１    廃液導入ポート
４２    廃液排出ポート
４３    ガス排出ポート
４４    圧縮ガス用ポート
４５    給水用ポート
５６    第１圧縮ガス用切替弁（第１開閉機構）
５７    第２圧縮ガス用切替弁（第２開閉機構）
【要約】
【課題】医療現場で発生する廃液を低コストで容易に処分可能な廃液処分装置を提供する。
【解決手段】廃液処分装置１０は、医療現場で発生する廃液を処分するための廃液処分装置１０であって、発生した廃液を受け入れる廃液導入ポート４１と、廃液を排出させる廃液排出ポート４２とが接続された密閉タンク２０と、密閉タンク２０へガスを供給することにより、密閉タンク２０内の廃液の液面を加圧して廃液を廃液排出ポート４２から排出させるガス供給部２１，３４，５６とを備えている。
【選択図】図１【図１】
0005948689.tif 000002
【図２】
0005948689.tif 000003
【図３】
0005948689.tif 000004
【図４】
0005948689.tif 000005